(57)【要約】【課題】背もたれがばね手段に抗して後傾する椅子において、ロック用の受動ロック体を簡単に固定できる構造を提供する。【解決手段】脚支柱１５の上端に固定されたベース体１２に、背もたれ２が取り付く傾動フレーム１１を後傾動自在に連結している。傾動フレーム１１には形成されたロック受け凹所４２に、受動ロック体４４がボルト４８で固定されている。ベース体１２には、受動ロック体４４の係合溝４３に係脱する可動ロック体４１が、前後動可能に配置されている。着座した人が背もたれ２に凭れていない基準姿勢でも、傾動フレーム１１には、ばね手段による付勢力が作用している。椅子の組み立てに際しては、背もたれ２を基準姿勢よりも後ろに後傾させた状態で、受動ロック体４４をボルト４８で固定できる。従って、受動ロック体４４の組み付けを簡単かつ正確に行える。【選択図】図１０
2020058758.tif 000002
【特許請求の範囲】
【請求項１】
脚支柱の上端に固定されたベース体と、ばね手段に抗して後傾動するように前記ベース体に連結された傾動フレームと、前記傾動フレームに取付けられた背もたれとを有しており、
前記背もたれは、人がもたれ掛かっていない基準姿勢においても、与圧された前記ばね手段によって前傾方向に付勢されている一方、
前記傾動フレームには、前記背もたれが基準姿勢のときに前記ばね手段によって付勢された状態でベース体に当たる規制部材を設けている構成であって、
前記規制部材は、前記傾動フレームをベース体に連結した後に取付け可能であり、前記傾動フレームには、前記規制部材の取付け部が、前記ベース体の外側に露出するように形成されている、
椅子。
【請求項２】
前記規制部材は、前記ベース体の後ろに配置された前面に複数の係合部が上下多段に形成された受動ロック体になっている一方、
前記ベース体の後部に、レバー操作によって前記受動ロック体の任意の係合部に係脱する可動ロック体が配置されており、
前記受動ロック体は、前記傾動フレームに設けた下向き開口のロック受け凹所に下方から嵌め込まれていてボルトで前記傾動フレームに固定されており、かつ、前記受動ロック体に、前記背もたれが基準姿勢のときに前記ベース体に下方から当たって前記背もたれを基準姿勢に保持するストッパー部を設けている、
請求項１に記載した椅子。
【請求項３】
前記受動ロック体のストッパー部は、前記係合部が形成されているエリアの左右両側においてフランジ状に張り出している、
請求項２に記載した椅子。
【請求項４】
請求項１〜３のうちのいずれかに記載した椅子の製造方法であって、
前記規制部材は取付けられておらずに前記傾動フレームが前記ベース体に連結された工程の後に、前記傾動フレームを前記ばね手段に抗して後傾させた状態で、前記規制部材を前記傾動フレームにボルトによって固定する工程を有している、
椅子の製造方法。
【発明の詳細な説明】
【技術分野】
【０００１】
本願発明は、背もたれがばね手段に抗して後傾するロッキング椅子とその製造方法に関するものである。
【背景技術】
【０００２】
背もたれが後傾するロッキング式椅子において、背もたれの後傾姿勢を制御するロック装置（傾動制御装置）を設けることは、広く行われている。ロック装置の構造は様々であるが、特許文献１には、ベース体に後傾動自在に連結された背支桿（傾動フレーム）の前端に、前面に係合溝が上下多段に形成されたロック部材受け（受動ロック体）を取り付ける一方、ベース体には、ロック部材受けにおける任意の段の係合溝に係脱するロック部材（可動ロック体）を前後スライド自在に装着して、レバー操作によってロック部材を動かす構成が開示されている。
【０００３】
特許文献１のように、係合溝が上下多段に形成されたロック受け部材を使用すると、ロック受け部材をコンパクト化できるため、ロック装置全体としてもコンパクト化できる利点がある。
【先行技術文献】
【特許文献】
【０００４】
【特許文献１】特許第４７７３８０１号後公報
【発明の概要】
【発明が解決しようとする課題】
【０００５】
さて、背もたれがばね手段に抗して後傾するロッキング椅子において、着座した人が背もたれにもたれ掛かってから初めてばね手段が加圧されると、ばね手段が無負荷状態から変形し始めるため、着座した人がもたれ掛かると、背もたれが急速に後傾する現象を生じて、使用者に大きな不安感を与えてしまう。
【０００６】
そこで、ロッキング椅子では、着座した人が背もたれにもたれ掛かっていない基準姿勢（ニュートラル状態）でもばね手段を予め加圧（与圧）しておくことにより、背もたれの後傾動に対して初期抵抗（プリテンション）を付与して、以て、背もたれが急激に後傾する現象を防止している。従って、背もたれは、基準姿勢においてばね手段によって前傾方向に付勢されており、ストッパー手段によって基準姿勢を保持している。
【０００７】
そして、ロッキング椅子の組み工程では、ばね手段を予圧した状態で部材を組み付ける工程が必要であるが、ばね手段の弾性復元力はかなり強いため、ばね手段を予圧した状態で部材を組み付ける工程が厄介であった。特許文献１においても同様であり、ばね手段を与圧した状態で背支桿をピンでベース体や座に連結する作業を行わねばならないため、椅子の組み立て作業は非常に厄介になると思われる。
【０００８】
本願発明は、このような現状を改善すべく成されたものである。
【課題を解決するための手段】
【０００９】
本願発明は、椅子とその製法を含んでおり、椅子は、
「脚支柱の上端に固定されたベース体と、ばね手段に抗して後傾動するように前記ベース体に連結された傾動フレームと、前記傾動フレームに取付けられた背もたれとを有しており、
前記背もたれは、人がもたれ掛かっていない基準姿勢においても、与圧された前記ばね手段によって前傾方向に付勢されている一方、
前記傾動フレームには、前記背もたれが基準姿勢のときに前記ばね手段によって付勢された状態でベース体に当たる規制部材を設けている」
という基本構成なっている。
【００１０】
そして、特許文献１の発明では、上記基本構成において、
「前記規制部材は、前記傾動フレームをベース体に連結した後に取付け可能であり、前記傾動フレームには、前記規制部材の取付け部が、前記ベース体の外側に露出するように形成されている」
という構成になっている。
【００１１】
請求項２の発明は請求項１の展開例であり、請求項１において、
「前記規制部材は、前記ベース体の後ろに配置された前面に複数の係合部が上下多段に形成された受動ロック体になっている一方、
前記ベース体の後部に、レバー操作によって前記受動ロック体の任意の係合部に係脱する可動ロック体が配置されており、
前記受動ロック体は、前記傾動フレームに設けた下向き開口のロック受け凹所に下方から嵌め込まれていてボルトで前記傾動フレームに固定されており、かつ、前記受動ロック体に、前記背もたれが基準姿勢のときに前記ベース体に下方から当たって前記背もたれを基準姿勢に保持するストッパー部を設けている」
という構成になっている。
【００１２】
更に、請求項２の展開例として、請求項３では、
「前記受動ロック体のストッパー部は、前記係合部が形成されているエリアの左右両側においてフランジ状に張り出している」
という構成になっている。
【００１３】
椅子の製法は、請求項４で特定している。すなわちこの製法は、請求項１〜３のうちのいずれかに記載した椅子の製造方法であって、
「前記規制部材は取付けられておらずに前記傾動フレームが前記ベース体に連結された工程の後に、前記傾動フレームを前記ばね手段に抗して後傾させた状態で、前記規制部材を前記傾動フレームにボルトによって固定する工程を有している」
という特徴を有している。
【発明の効果】
【００１４】
本願発明では、規制部材は、傾動フレームをベース体に連結してから傾動フレームに取り付けることができる。従って、規制部材を傾動フレームに取り付けると、ばね手段は予圧された状態になって、背もたれは、基準姿勢において前傾方向に付勢された状態になって、使用者は安心して背もたれにもたれ掛かることができる。
【００１５】
特に、請求項４の製法を採用すると、背もたれをばね手段に抗して後傾させた状態で規制部材を傾動フレームに固定できるため、規制部材は、ばね手段の弾性力が全く掛かっていない状態で、ボルトによって傾動フレームに容易に固定できる。従って、請求項４の構成を採用すると、背もたれにプリテンションが掛かけられた椅子を、製造が容易な状態で提供することができる。
【００１６】
規制部材はストッパー機能のみを有することも可能であるが、請求項２のように規制部材を受動ロック体に利用すると、規制部材を利用して背もたれの傾動ロックを行えるため、背もたれを所定の姿勢にロックできる椅子でありながら、構造をできるだけ簡単化できる。
【００１７】
請求項３の構成を採用すると、受動ロック体のストッパー部は係合部を設けたエリアの左右両側に形成されているため、ストッパー部は、両端支持の状態で荷重を支持できる。従って、弾性復元力をバランス良く受けることができると共に、ストッパー部の支持強度も向上できる。
【図面の簡単な説明】
【００１８】
【図１】実施形態に係る椅子の外観を示す図で、（Ａ）は前方斜視図、（Ｂ）は後方斜視図である。
【図２】（Ａ）は平面図、（Ｂ）は側面図である。
【図３】（Ａ）は一部部材を分離した基部の斜視図、（Ｂ）は基部の分離斜視図である。
【図４】（Ａ）は要部の分離斜視図、（Ｂ）は一部部材の下方斜視図である。
【図５】要部の分離斜視図である。
【図６】（Ａ）はフリー状態での分離平面図、（Ｂ）はロック状態での分離平面図、（Ｃ）は要部を下方から見た斜視図、（Ｄ）は要部を下方から見た分離斜視図である。
【図７】動作部を示す図で、（Ａ）は上方から見た分離斜視図、（Ｂ）は下方から見た分離斜視図である。
【図８】（Ａ）は動作部を前方から見た分離斜視図、（Ｂ）は動作部を後方から見た分離斜視図である。
【図９】ニュートラル姿勢でかつフリー状態での左右中間部の縦断側面図である。
【図１０】組み立て途中での左右中間部の縦断側面図である。
【発明を実施するための形態】
【００１９】
次に、本願発明の実施形態を図面に基づいて説明する。以下では、方向を特定するため前後・左右の文言を使用するが、この方向は普通に着座した人から見た状態を基準にしている。正面視方向は、着座した人と対抗した方向である。
【００２０】
(1).椅子の概要
まず、本実施形態の肘掛け装置が適用された椅子の概要を説明する。この椅子は、オフィス等で多用されている回転椅子であり、主要部材として、座１と背もたれ２、背もたれ２が取り付けられたバックフレーム３、及びキャスタ付きの脚装置４を備えている。背もたれ２は、樹脂製の背板の表裏両面にクッションを張ってこれを袋状の表皮材で覆った構造になっているが、背板しか表示していない。椅子は、オプション品として、肘掛け装置６とヘッドレスト（或いはショルダーレスト）７を備えている。
【００２１】
バックフレーム３は、左右中間部に位置した背支柱８と、背支柱８の上端に取り付けた左右長手のアッパサポート９と、背支柱８の下端から左右に張り出したロアサポート１０とを備えており、背もたれ２は、アッパサポート９の左右両端及びロアサポート１０の左右両端に連結されている。従って、背もたれ２は、４点支持の状態でバックフレーム３に連結されている。
【００２２】
図３（Ｂ）に示すように、バックフレーム３の下端には前向き部３ａが一体に形成されており、前向き部３ａに固定された傾動フレーム１１が、脚装置４の状態に固定されたベース体１２に後傾動可能に連結されている。
【００２３】
図４（Ａ）や図５に示すように、ベース体１２は金属板製で上向きに開口した形態であり、後部に形成された段部１２ｂにリアブラケット１３を固定し、段部１２ｂとリアブラケット１３とに固定されたブッシュ１４に、脚支柱（ガスシリンダ）１５の上端部が嵌着されている。
【００２４】
図４（Ａ）や図５に示すように、傾動フレーム１１は、前後に長い左右の側枠部１１ａと、左右の側枠部１１ａの後部に一体に繋がったジョイント１１ｂとを有しており、左右の側枠部１１ａの前端部に、軸受け部１１ｃを内向きに突設して、左右の軸受け部１１ｃに、ばね手段の受け部となるプッシャー１７が一体に繋がっている。
【００２５】
軸受け部１１ｃは、ベース体１２に設けた下向き凹部１８に下方から入り込んでおり、この状態で、左右の軸受け部１１ｃとベース体１２とが支軸１６によって連結されている。従って、傾動フレーム１１及び背もたれ２は、支軸１６を中心にして後傾動する。また、プッシャー１７は、手前に向けて低くなるように傾斜姿勢になっており、図９にも示すように、ベース体１２の底部に設けた透かし穴１９（図５も参照）から、ベース体１２の内部に向かっている。プッシャー１７は、ベース体１２に装着したカバー２０によって、下方から覆われている。
【００２６】
図３（Ｂ）に示すように、バックフレーム３における前向き部３ａの前端には、左右の鉤部３ｃが形成されている。一方、傾動フレーム１１におけるジョイント部１１ｂには、鉤部３ｃが嵌まる凹部（図示せず）を形成しており、前向き部３ａとジョイント部１１ｂとは、上下に噛み合った状態で、ボルト（図示せず）によって締結されている。なお、バックフレーム３と傾動フレーム１１とを一体に形成することも可能であるし、傾動フレーム１１に背アウターシェルを固定するといったことも可能である。
【００２７】
(2).ばねユニット
図４（Ａ）から理解できるように、ベース体１２の前半部に、コイルスプリングが内蔵されたばねケース２２が、後ろに向けて低くなる傾斜姿勢で配置されている。また、ベース体１２の側板１２ａとばねケース２２との間にはリンク２３が配置されており、リンク２３の後端部は、傾動フレーム１１の側枠部１１ａに設けた軸受け部１１ｃに連結されている一方、リンク２３の前端部は、ばねケース２２に横向き突設したボス２５に連結されている。
【００２８】
更に、図５や図９に示すように、ばねケース２２の内部に設けたばね受けスライダー２６をばねケース２２の後面から後ろ向きに突設して、ばね受けスライダー２６の後端が、支軸１６に設けたプッシャー１７に当接している。従って、着座した人が背もたれ２にもたれ掛かって背もたれ２が後傾すると、プッシャー１７によってばね受けスライダー２６が押されてばねが押し縮められる。これにより、背もたれ２の後傾動に対する弾性的な抵抗が付与される。
【００２９】
図９に明示するように、プッシャー１７の後面１７ａは手前に向けて凹んだ凹面になっており、ばね受けスライダー２６の後端（頂点）が上下方向に移動すると、支軸１６からばね受けスライダー２６の後端までのスパンが変化して、傾動フレーム１１の後傾動に対する抵抗が変化する。そこで、図５に示すように、ベース体１２の側板１２ａに回転自在に保持したハンドル２７に、ばねケース２２に上から当接する周面カム２８を固定して、ハンドル２７によって周面カム２８を回転操作することにより、ロッキングに対する抵抗の大きさを変更できるようにしている。
【００３０】
リンク２３とばねケース２２と間には、前端部をばねケース２２のボス２５に連結した姿勢保持体２９が配置されている。姿勢保持体２９は、周面カム２８を常にばねケース２２に当接した状態に保持するためのものであり、姿勢保持体２９により、ハンドル２７を正逆いずれの方向に回転させても、周面カム２８は常にばねケース２２に当接した状態に保持されて、ばねケース２２の姿勢を変更できる。
【００３１】
そして、着座した人が背もたれ２にもたれていないニュートラル姿勢でも、ばね受けスライダー２６はコイルばねを加圧しており、傾動フレーム１１には、ある程度の弾性復元力が作用している。
【００３２】
図４に示すように、リンク２３の前端部には外向きのフランジ２３ａが形成されていて、フランジ２３ａはベース体１２の上面にビス（図示せず）で固定されている。また、図３から理解できるように、左右のリンク２３のフランジ２３ａにはそれぞれガイドレール３０がビスで固定されており、ガイドレール３０に、図２に示す座アウターシェル３１が前後スライド可能で上向き抜け不能に保持されている。座１は、座アウターシェル３１に取付けられている。
【００３３】
座アウターシェル３１の後部は、傾動フレーム１１のジョイント部１１ｂに連結されている。すなわち、例えば図３や図４（Ａ）に示すように、傾動フレーム１１におけるジョイント部１１ｂ部の左右両端部に突起部３２を設けて、突起部３２に左右外向きに突出した支軸部３３を形成しており、支軸部３３に、座アウターシェル３１の後部が、図４に示す連結キャップ３４を介して連結されている。従って、背もたれ２が後傾すると、座１は、背もたれ２に連動して小さい角度で後傾しつつ後退する。
【００３４】
(3).昇降制御装置
図４，５を参照して説明したように、ベース体１２の後半部に形成した段部１２ｂにリアブラケット１３が固定されているが、図３，５から理解できるように、リアブラケット１３の上面に制御ユニット板３５を固定しており、この制御ユニット板３５に、脚支柱１５のプッシュバルブ１５ａ（図８参照）を押す高さ調節ユニットと、背もたれ２の傾動を制御するためのロックユニットとを設けている。
【００３５】
制御ユニット板３５は、図示しないビスによってリアブラケット１３に固定されている。また、図８に示すように、制御ユニット板３５には、リアブラケット１３と係合する鉤状等の位置決め係合部３６を設けている。
【００３６】
高さ調節ユニットとしては、例えば図７（Ａ）に示すように、制御ユニット板３５に、平面視において前後長手線及び左右長手線に対して傾斜した姿勢でかつ上向きに開口した樋状の第１ガイド部３７を設け、第１ガイド部３７に、プッシュバルブ１５ａを下向きに押す回動式のリンク杆（図示せず）を装着している。リンク杆は、図５に示す第１ワイヤー３８によって回動操作される。
【００３７】
第１ワイヤー３８は第１チューブ３９に挿通されており、第１チューブ３９の一端部は、第１ガイド部３７の前端部に設けた壁板３７ａのＵ溝４０に係止されている。また、図示は省略するが、第１ワイヤー３８の一端にはボールが取付けられており、ボールは、リンク杆の一端に係止されている。そして、第１ワイヤー３８が図示しない第１操作レバーによって引き操作されると、リンク杆が回動して脚支柱１５のプッシュバルブ１５ａが押される。これにより、脚支柱１５はロックが解除されて、座１の高さを調節することができる。
【００３８】
(4).ロック装置（傾動制御装置）の基本構造
例えば図７に示すように、ロック装置の一環として、制御ユニット板３５の下面に、平板状の可動ロック体４１が前後動可能に装着されている。一方、例えば図５に示すように、傾動フレーム１１におけるジョイント１１ｂのうちか左右中間部に、前方及び下方に開口したロック受け凹所４２が形成されていて、このロック受け凹所４２に、前面に係合溝４３が多段（５段）に形成されたブロック状の受動ロック体４４を嵌め込んで固定している。
【００３９】
そして、可動ロック体４１の後端部が受動ロック体４４の任意の係合溝４３に嵌まり込むと、背もたれ２は傾動不能に保持される。可動ロック体４１の後端部が受動ロック体４４から外れた状態では、背もたれ２は後傾動自在である。受動ロック体４４は請求項に記載した規制部材の例であり、ロック受け凹所４２は、規制部材の取付け部の一例である。
【００４０】
可動ロック体４１は、図５以下に示す第２ワイヤー４５によって回動操作される。以下、各部位を詳述する。
【００４１】
図７（Ｂ）に明示するように、制御ユニット板３５の後部には、後ろ向きに開口した角形の切り開き部４６を形成していると共に、制御ユニット板３５の下面に、可動ロック体４１が前後動自在に嵌まる凹部４７を形成している。凹部４７は切り開き部４６よりも左右両側に広がっている。
【００４２】
そして、受動ロック体４４は可動ロック体４１の後ろに配置されているが、図８（Ａ）（Ｂ）に示すように、切り開き部４６に後ろから入り込んでいる。従って、可動ロック体４１が後ろ方向に後退すると、可動ロック体４１が受動ロック体４４における任意の係合溝４３に嵌入して、背もたれ２は傾動不能なロック状態に保持され、可動ロック体４１が前進しきった状態では、受動ロック体４４は上下回動自在となって、背もたれ２は、傾動自在なフリー状態になる。
【００４３】
図９，１０に明示するように、受動ロック体４４は、傾動フレーム１１のジョイント１１ｂにボルト（ビス）４８で固定されている。また、受動ロック体４４の上面に設けた位置決め突起４９が、傾動フレーム１１のジョイント１１ｂに形成された位置決め穴５０に嵌入している。
【００４４】
更に、例えば図５，６に示すように、受動ロック体４４のうち前寄り部位の下端に、フランジ状に張り出した左右のストッパー部４４ａを設けており、図７（Ｃ）に示すように、ストッパー部４４ａは、リアブラケット１３の後端部に設けた左右の受け部５１に下方から当接可能になっている。図５に示すように、リアブラケット１３の受け部５１は後ろ向きに突出した状態になっている。
【００４５】
既述のとおり、背もたれ２は、着座した人がもたれ掛かっていないニュートラル姿勢において、ばね手段によってプリテンションが掛けられている。従って、背もたれ２は常に前向き回動する方向に付勢されているが、受動ロック体４４のストッパー部４４ａがリアブラケット１３の受け部５１に下方から当たることにより、背もたれ２の前向き回動姿勢が規制されて、背もたれ２はニュートラル姿勢に保持されている。
【００４６】
(5).可動ロック体４１のスライド制御機構
図７に示すように、制御ユニット板３５には、前後方向に移動自在なスライダー５２が配置されている。スライダー５２は、制御ユニット板３５の左側部に位置して前半部を小径部５３ａと成した筒部５３と、筒部５３から横向き（右向き）に張り出したアーム部５４とを備えており、筒部５３は、傾動フレーム１１の左側部に設けた筒状の第２ガイド部５５に後ろからスライド自在に嵌まっている。
【００４７】
他方、アーム部５４の先端には下向きのボス５６を設けており、ボス５６は制御ユニット板３５に形成された前後長手の長穴５７に挿通されており、ボス５６の下端面に可動ロック体４１がビス５８で固定されている。制御ユニット板３５はリアブラケット１３の上面に重なっているので、可動ロック体４１は、制御ユニット板３５とリアブラケット１３との間に介在している。そこで、図９（図５も参照）に示すように、リアブラケット１３には、ビス５８の頭が前後スライド自在に嵌まる逃がし穴５９が形成されている。
【００４８】
可動ロック体４１はスライダー５２と一体に前後動すると共に、スライダー５２を介して、制御ユニット板３５に前後スライド自在で離脱不能に保持されている。また、図７に示すとおり、アーム部５４のうち筒部５３に近い部位に、底面視長方形のガイド片６０を下向きに突設している一方、制御ユニット板３５には、ガイド片６０が前後スライド自在に嵌まるガイド溝６１を形成している。従って、スライダー５２は、こじれがない状態で前後スライドする。
【００４９】
図８に示すように、第２ワイヤー４５は第２チューブ６２に挿通されており、第２ワイヤー４５の一端部は、制御ユニット板３５の前端に設けた受け板６３に保持されている。この場合、第２ワイヤー４５の一端部は、後ろに行くに従って低くなるように傾斜している。従って、受け板６３も、側面視において鉛直線に対して傾斜している。
【００５０】
第２ワイヤー４５の一端部（項端部）は、第２ガイド部５５とスライダー５２の筒部５３とを貫通して後ろ向きに延びており、後端にはボール６４を固定している。そして、第２ガイド部５５に、スライダー５２を後ろ向きに付勢する大径ばね６５と、スライダー５２を前向きに付勢する小径ばね６６とを内蔵している。大径ばね６５は、筒部５３の小径部５３ａに被嵌しており、小径ばね６６は、筒状のばね受け６７で後ろから支持されており、ばね受け６７はボール６４で支持されている。大径ばね６５の弾性力は、小径ばね６６の弾性力よりも強くなっている。
【００５１】
第２ワイヤー４５の他端は、図示しない第２操作レバーに連結されている。そして、第２操作レバーを操作していない状態では、第２ワイヤー４５は、２つのばね６５，６６を圧縮させた状態で引かれており、従って、可動ロック体４１は前進したフリー状態になっている。
【００５２】
他方、第２操作レバーをフリー姿勢からロック姿勢に引くと、大径ばね６５によってスライダー５２が後ろ向きに押される。従って、可動ロック体４１の真後ろに受動ロック体４４の係合溝４３が位置している場合は、可動ロック体４１はそのまま係合溝４３に嵌合して、背もたれ２は傾動不能に保持される。
【００５３】
背もたれ２の姿勢によっては、可動ロック体４１の真後ろに係合溝４３が位置していない状態も有り得るが、この場合は、第２操作レバーをロック状態にすると、可動ロック体４１がいったん受動ロック体４４の前面に当接して、大径ばね６５は殆ど伸び変形せずに、第２ワイヤー４５は小径ばね６６によって後退し、次いで、着座した人が身体を手前に起こして背もたれ２が前傾すると、可動ロック体４１の真後ろに係合溝４３が位置した時点で、大径ばね６５が伸長して可動ロック体４１が後退する。これにより、背もたれ２は傾動不能なロック状態に移行する。
【００５４】
第２操作レバーをロック姿勢からフリー姿勢に切り換えたとき、可動ロック体４１と係合溝４３との間に摩擦がある場合は、使用者は身体で少し背もたれ２を押すなどして摩擦を無くすことにより、可動ロック体４１は第２ワイヤー４５の引き作用によってスライダー５２を前進させることができる（着座した人が背もたれ２にもたれていない状態で背もたれ２が前傾すると危険であるので、ロック状態からフリー状態への移行は、着座した人の身体が背もたれ２に当たっている状態で行うべきである。）。
【００５５】
(6).組み立て手順・まとめ
既述のとおり、背もたれ２は、着座した人の負荷が掛かっていないニュートラル姿勢でも、ばねによる弾性復元力が作用しており、このため、背もたれ２は前傾方向に付勢されている。従って、受動ロック体４４のストッパー部４４ａには、下向きの付勢力が作用している。
【００５６】
そして、椅子の組み立てに際しては、ばね受けスライダー２６を前進させきった状態で行うのが安全であり、従って、背もたれ２の組み付けなどを終えてから、最後に受動ロック体４４を取り付けることが合理的である。
【００５７】
この場合、受動ロック体４４を取付けていない状態では、背もたれ２は使用時の基準姿勢（ニュートラル姿勢）よりも前向きに回動しており、ボルト４８を受動ロック体４４にねじ込んでいって、受動ロック体４４を傾動フレーム１１のジョイント１１ｂに引き付けると、背もたれ２はニュートラル姿勢に向けて回動（後傾）していく。しかし、この方法では、ボルト４８のねじ込みに手間が掛かるため、非能率的である。
【００５８】
これに対しては、図１０に示すように、背もたれ２又はバックフレーム３の上端部に手を当てて後ろに押して、背もたれ２をニュートラル姿勢よりも後傾させた状態で、受動ロック体４４をボルト４８で固定することにより、受動ロック体４４の取付けを、作業者に負担を掛けることなく、簡単かつ正確に行うことができる。
【００５９】
上記のとおり、受動ロック体４４の取付けは、背もたれ２をバックフレーム３に取り付けた後で行ってもよいし、背もたれ２をバックフレーム３に取り付ける前に行ってもよい。いずれにしても、ばねケース２２に内蔵されたロッキングばねに対して大きなモーメントを作用させて、傾動フレーム１１を簡単に後傾させることができるため、受動ロック体４４の取付けを簡単かつ正確に行える（位置決め突起４９と位置決め穴５０との嵌め合わせも容易に行える。）。
【００６０】
なお、ニュートラル姿勢において、受動ロック体４４のストッパー部４４ａには下向きの押圧力が作用しているが、この力はさほど強くはないため、ボルト４８に対する負担は小さい。従って、安全上の問題はない。
【００６１】
他方、ロック状態では、着座した人の押圧力が背もたれ２に掛かっている状態では、可動ロック体４１は受動ロック体４４によって下向きに押されるが、可動ロック体４１はリアブラケット１３で支持されるため、着座した人の押圧力は的確に支持される。
【００６２】
他方、ロック状態では、着座した人の押圧力が背もたれ２に掛かっていない状態では、可動ロック体４１は、ばねケース２２に内蔵したばねの弾性復元力によって上向きに押されるが、可動ロック体４１は制御ユニット板３５によって上から支えられているため、安全である。制御ユニット板３５も、位置決め係合部３６によって上向き離脱不能に保持されているため、可動ロック体４１を安定的に支持できる。
【００６３】
実施形態のように制御ユニット板３５を使用すると、高さ調節ユニットとロックユニットとを精度良く組み付けることができる利点がある。また、受動ロック体４４を制御ユニット板３５の切り開き部４６に部分的に配置すると、可動ロック体４１の後端部が、係合溝４３の左右両側方においてリアブラケット１３又は制御ユニット板３５で支持されるため、強度を格段に向上できる。
【００６４】
以上、本願発明の実施形態を説明したが、本願発明は、他にも様々に具体化できる。例えば、ベースや傾動フレームの具体的な構造は、様々に変更可能である。背もたれの後傾動に抵抗を付与するばね手段としては、板ばねやトーションバーなどの各種のばね体を採用できる。背もたれも、任意の構造に設定できる。
【００６５】
実施形態では、規制部材の一例として、前面に係合溝を多段に形成した受動ロック体を採用したが、規制部材は、必ずしもロック機能を有する必要はないし、ロック機能を有する場合でも、実施形態とは異なる係合手段を採用できる。
【００６６】
また、規制部材がロック機能を有するか否かにかかわらず、規制部材は、傾動フレームに対して、後ろから装着したり横方向から装着したりすることも可能である。従って、傾動フレームに設ける規制部材取付け部は、後ろ向きに露出させたり、左右方向の外向きに露出させたりすることが可能である。後ろ向きや横向きに露出させる場合、トンネル状に形成すると、規制部材の支持機能に優れているため好適である。
【産業上の利用可能性】
【００６７】
本願発明は、椅子に具体化できる。従って、産業上利用できる。
【符号の説明】
【００６８】
１  座
２  背もたれ
３  バックフレーム
１１  傾動フレーム
１２  ベース体
１３  リアブラケット
３５  制御ユニット板
４１  可動ロック体
４２  規制部材の取付け部の一例としてのロック受け凹所
４３  係合部の一例としての係合溝
４４  規制部材の一例としての受動ロック体
４４ａ  フランジ状のストッパー部
４５  可動ロック体を制御する第２ワイヤー
４８  ボルト
５２  スライダー
５５  第２ガイド部
５６  ボス
５７  長穴
５８  ビス
【図１】
2020058758.tif 000003
【図２】
2020058758.tif 000004
【図３】
2020058758.tif 000005
【図４】
2020058758.tif 000006
【図５】
2020058758.tif 000007
【図６】
2020058758.tif 000008
【図７】
2020058758.tif 000009
【図８】
2020058758.tif 000010
【図９】
2020058758.tif 000011
【図１０】
2020058758.tif 000012